(57)【要約】新しいまたは既存のベンチャーのためのビジネスプラニングおよびプロジェクト推進方法、プログラム、およびシステムを提供する。ユーザが提供するベンチャー評価情報にしたがって知識データベースから検索されたデータに基づいたデフォルト値がユーザに提供される。ユーザはシステムにより与えられた複数のデフォルト値のうち少なくとも１つのデフォルト値を補足および／または無効にするために、ベンチャーの値のユーザ評価に基づいて付加的な情報を入力することができる。デフォルト値情報とユーザ評価情報に基づいて、ベンチャー用にカスタム化されたビジネスプランがユーザに報告される。データベースはローカルなビジネス環境に特定の情報と、歩行可能者外科センタおよび内視鏡等の施設を含む、ターゲットベンチャーの産業についての詳細な情報とを有する。【選択図】図１
2007535775.tif 000002
【特許請求の範囲】
【請求項１】
内視鏡サービスベンチャー用のビジネスプラニング方法において、
内視鏡サービスベンチャー用の値のユーザ評価に基づいて、ユーザ評価情報を入力し、
ユーザ評価情報にしたがって検索された内視鏡サービス知識データベースの提供データに基づいて、複数のデフォルト値を提供し、
先に入力されたユーザ情報に付加的されるユーザ評価情報を入力して、先に入力されたユーザ評価情報と、複数の与えられたデフォルト値のうちの１つのデフォルト値の、少なくとも一方を補足するか無効にし、
デフォルト値情報とユーザ評価情報に基づいて、内視鏡サービスベンチャー用にカスタム化されたビジネスプランを報告するステップを含んでいる方法。
【請求項２】
複数のデフォルト値は、内視鏡サービスベンチャーの要求、目標、予測、アウトプットのうちの少なくとも１つを含んでいる請求項１記載の方法。
【請求項３】
タグ付けされた値の確実性のユーザ評価を表すユーザ信用タグがユーザ評価情報に対して入力され、ユーザ評価情報に基づいたビジネスプランの与えられた値がユーザ評価情報に対するユーザ信用タグにしたがって確実性インデックスでフラグを付けられる請求項１記載の方法。
【請求項４】
作成されたビジネスプランにおいて、施設のサイズ、備品の要求、人員のコストのうちの少なくとも１つが、ベンチャーにより行われた内視鏡手順の量のユーザ評価に基づいて予測される請求項３記載の方法。
【請求項５】
ビジネスプランは、ベンチャーの位置にしたがってローカルなビジネス環境に特定の値を考慮して、ベンチャーの産業の平均スコアに基づいて生成される請求項１記載の方法。
【請求項６】
ベンチャーの位置は、ベンチャーの国、州、地区、地方、都市の少なくとも１つについての情報を含んでいる請求項５記載の方法。
【請求項７】
デフォルト値情報とユーザ評価情報に基づいて、プロジェクト推進がユーザの追跡とベンチャーに必要なタスクの作業を促進するために行われる請求項１記載の方法。
【請求項８】
内視鏡サービスベンチャー用のビジネスプラニングシステムにおいて、
内視鏡サービスベンチャー用の値のユーザ評価に基づいて、ユーザ評価情報を受信するように構成されたユーザインターフェースと、
ユーザ評価情報にしたがって検索された内視鏡サービス知識データベースの提供データに基づいて、複数のデフォルト値を生成するように構成された制御装置とを具備し、
前記ユーザインターフェースは、先に入力されたユーザ情報に付加されるユーザ評価情報を受信するように構成され、先に入力されたユーザ評価情報と、複数の与えられたデフォルト値のうちの１つのデフォルト値の、少なくとも一方を補足するか無効にし、
前記制御装置は、デフォルト値情報とユーザ評価情報に基づいて、内視鏡サービスベンチャー用にカスタム化されたビジネスプランを生成し、生成されたビジネスプランを出力するように構成されているビジネスプラニングシステム。
【請求項９】
複数のデフォルト値は、内視鏡サービスベンチャーの要求、目標、予測、アウトプットのうちの少なくとも１つを含んでいる請求項８記載の方法。
【請求項１０】
タグ付けされた値の確実性のユーザ評価を表すユーザ信用タグがユーザ評価情報に対して入力され、ユーザ評価情報に基づいたビジネスプランの与えられた値がユーザ評価情報に対するユーザ信用タグにしたがって確実性インデックスでフラグを付けられる請求項８記載の方法。
【請求項１１】
作成されたビジネスプランにおいて、施設のサイズ、備品の要求、人員のコストのうちの少なくとも１つが、ベンチャーにより行われた内視鏡手順の量のユーザ評価に基づいて予測される請求項１０記載のシステム。
【請求項１２】
ビジネスプランは、ベンチャーの位置にしたがってローカルなビジネス環境に特定の値を考慮して、ベンチャーの産業の平均スコアに基づいて生成される請求項８記載のシステム。
【請求項１３】
ベンチャーの位置は、ベンチャーの国、州、地区、地方、都市の少なくとも１つについての情報を含んでいる請求項１２記載のシステム。
【請求項１４】
デフォルト値情報とユーザ評価情報に基づいて、プロジェクト推進がユーザの追跡とベンチャーに必要なタスクの作業を促進するために行われる請求項８記載のシステム。
【請求項１５】
内視鏡サービスベンチャー用のビジネスプラニング方法を実行するための命令のプログラムを実施するプロセッサの読取り可能な媒体において、
内視鏡サービスベンチャー用の値のユーザ評価に基づいて、ユーザ評価情報を入力する手段と、
ユーザ評価情報にしたがって検索された内視鏡サービス知識データベースの提供データに基づいて、複数のデフォルト値を提供する手段と、
先に入力されたユーザ情報に付加されるユーザ評価情報を入力して、先に入力されたユーザ評価情報と、複数の与えられたデフォルト値のうちの１つのデフォルト値の、少なくとも一方を補足するか無効にする手段と、
デフォルト値情報とユーザ評価情報に基づいて、内視鏡サービスベンチャー用にカスタム化されたビジネスプランを報告する手段とを具備しているプロセッサの読取り可能な媒体。
【請求項１６】
複数のデフォルト値は、内視鏡サービスベンチャーの要求、目標、予測、アウトプットのうちの少なくとも１つを含んでいる請求項１５記載のプロセッサの読取り可能な媒体。
【請求項１７】
タグ付けされた値の確実性のユーザ評価を表すユーザ信用タグが、ユーザ評価情報に対して入力され、ユーザ評価情報に基づいたビジネスプランの与えられた値がユーザ評価情報に対するユーザ信用タグにしたがって確実性インデックスでフラグを付けられる請求項１５記載のプロセッサの読取り可能な媒体。
【請求項１８】
作成されたビジネスプランにおいて、施設のサイズ、備品の要求、人員のコストのうちの少なくとも１つが、ベンチャーにより行われた内視鏡手順の量のユーザ評価に基づいて予測される請求項１７記載のプロセッサの読取り可能な媒体。
【請求項１９】
ビジネスプランは、ベンチャーの位置にしたがってローカルなビジネス環境に特定の値を考慮して、ベンチャーの産業の平均スコアに基づいて生成される請求項１５記載のプロセッサの読取り可能な媒体。
【請求項２０】
ベンチャーの位置は、ベンチャーの国、州、地区、地方、都市の少なくとも１つについての情報を含んでいる請求項１９記載のプロセッサの読取り可能な媒体。
【請求項２１】
デフォルト値情報とユーザ評価情報に基づいて、プロジェクト推進がユーザの追跡とベンチャーに必要なタスクの作業を促進するために行われる請求項１５記載のプロセッサの読取り可能な媒体。
【請求項２２】
ベンチャー用のビジネスプラニング方法において、
ベンチャー用の値のユーザ評価に基づいて、ユーザ評価情報を入力し、
ユーザ評価情報にしたがって検索された知識データベースの提供データに基づいて、複数のデフォルト値を提供し、
先に入力されたユーザ情報に付加されるユーザ評価情報を入力して、先に入力されたユーザ評価情報と、複数の与えられたデフォルト値のうちの１つのデフォルト値の、少なくとも一方を補足するか無効にし、
デフォルト値情報と、そのベンチャーについてのユーザが提供するベンチャー情報を入力しているユーザ評価情報に基づいて、ベンチャー用にカスタム化されたビジネスプランを報告するステップを含んでおり、
ビジネスプランはベンチャーの位置にしたがってローカルなビジネス環境に特定の値を考慮して、ベンチャーの産業の平均スコアに基づいて生成される方法。
【請求項２３】
複数のデフォルト値は、ベンチャーの要求、目標、予測、アウトプットのうちの少なくとも１つを含んでいる請求項２２記載の方法。
【請求項２４】
タグ付けされた値の確実性のユーザ評価を表すユーザ信用タグがユーザ評価情報に対して入力され、ユーザ評価情報に基づいたビジネスプランの与えられた値がユーザ評価情報に対するユーザ信用タグにしたがって確実性インデックスでフラグを付けられる請求項２２記載の方法。
【請求項２５】
ベンチャーの位置は、ベンチャーの国、州、地区、地方、都市の少なくとも１つについての情報を含んでいる請求項２２記載の方法。
【請求項２６】
作成されたビジネスプランにおいて、施設のサイズ、備品の要求、人員のコストのうちの少なくとも１つが、ベンチャーにより処理されたビジネスの量のユーザ評価に基づいて予測される請求項２２記載の方法。
【請求項２７】
デフォルト値情報とユーザ評価情報に基づいて、プロジェクト推進がユーザの追跡とベンチャーに必要なタスクの作業を促進するために行われる請求項２２記載の方法。
【請求項２８】
ベンチャーは医療サービスを提供するための施設である請求項２２記載の方法。
【請求項２９】
ベンチャー用のビジネスプラニング方法を実行するための命令のプログラムを実施するプロセッサの読取り可能な媒体において、前記命令は、
ベンチャー用の値のユーザ評価に基づいて、ユーザ評価情報を入力する手段と、
ユーザ評価情報にしたがって検索された知識データベースの提供データに基づいて、複数のデフォルト値を提供する手段と、
先に入力されたユーザ情報に付加されるユーザ評価情報を入力して、先に入力されたユーザ評価情報と、複数の与えられたデフォルト値のうち１つのデフォルト値の、少なくとも一方を補足するか無効にする手段と、
デフォルト値情報と、そのベンチャーについてのユーザが提供するベンチャー情報を入力しているユーザ評価情報とに基づいて、ベンチャーについてのカスタム化されたビジネスプランを報告するステップとを含んでおり、
ビジネスプランはベンチャーの位置にしたがってローカルなビジネス環境に特定の値を考慮して、ベンチャーの産業の平均スコアに基づいて生成される方法。
【請求項３０】
複数のデフォルト値は、ベンチャーの要求、目標、予測、アウトプットのうちの少なくとも１つを含んでいる請求項２９記載のプロセッサの読取り可能な媒体。
【請求項３１】
タグ付けされた値の確実性のユーザ評価を表すユーザ信用タグがユーザ評価情報に対して入力され、ユーザ評価情報に基づいたビジネスプランの与えられた値がユーザ評価情報に対するユーザ信用タグにしたがって確実性インデックスでフラグを付けられる請求項２９記載のプロセッサの読取り可能な媒体。
【請求項３２】
作成されたビジネスプランにおいて、施設のサイズ、備品の要求、人員のコストのうちの少なくとも１つが、ベンチャーにより処理されたビジネスの量のユーザ評価に基づいて予測される請求項２９記載の方法。
【請求項３３】
ベンチャーの位置は、ベンチャーの国、州、地区、地方、都市の少なくとも１つについての情報を含んでいる請求項２９記載のプロセッサの読取り可能な媒体。
【請求項３４】
デフォルト値情報とユーザ評価情報に基づいて、プロジェクト推進がユーザの追跡とベンチャーに必要なタスクの作業を促進するために行われる請求項２９記載のプロセッサの読取り可能な媒体。
【請求項３５】
ユーザ評価データとデフォルト値の一方を含んでいるデータのセットに基づいて与えられるビジネスプランとプロジェクト推進の少なくとも一方の分野は、その分野の選択により、ユーザはそのデータのセットに戻されてそのデータのセットを観察するか編集するようにそのデータのセットにリンクされる請求項２９記載のプロセッサの読取り可能な媒体。
【請求項３６】
ベンチャーは医療サービスを提供するための施設である請求項２９記載のプロセッサの読取り可能な媒体。
【発明の詳細な説明】
【技術分野】
【０００１】
本発明は、医療サービス、外科処置、内視鏡サービスを提供するための施設のような既存或いは新しいベンチャーを含む、ベンチャーのプロジェクト推進の計画およびプロジェクトのようなビジネスプラニングおよびプロジェクト推進システム、方法、プログラムの分野に関する。
【背景技術】
【０００２】
新しいビジネスまたはベンチャーの開始または既存の施設の新しい運営の開始は、ビジネス、ベンチャーまたは運営の必要性を予測することが必要であり、それ故計画が必要である。また、外科施設または歩行可能者治療施設のような医療施設、医院またはベンチャーの運営の開始、或いは既存の病院、病院のウィングまたはそのユニットのコスト、歳入、収益のような既存の施設のビジネスモデル化は、多数のタスクの計画、財務の要求および目的、偶発的事故、およびリスクを含み、その運営、コスト、人員、信用、備品、財政、収益などを含む施設の要求の理解を必要とする。さらに事業主はこのような要素を含むベンチャーまたは事業の実行可能性についての知識を得ることを望む。
【０００３】
ビジネスプラニングシステムとソフトウェアは新しいベンチャーの計画において、事業主を助けるために存在する。例えば米国特許出願第2003/0074211号明細書は、ウェブサイトからの質問によって指示されるときユーザが財務データ、見込み、目標を入力し、そのビジネスの財務報告および財務プランを予測することを可能にする。
【０００４】
しかしながら、先の引用文献に記載された財務プランおよび予測はベンチャーの産業および位置にカスタム化された情報を提供できない。例えば前記文献の開示は特定の産業についての詳細な情報とベンチャーのタイプ、例えば医療施設、医院、病院、診療所、歩行可能者治療と外科処置と検査と内視鏡サービス等を含む医療サービスを提供する事業所を含めたシステムを提供していない。このような詳細な情報に基づいて、ビジネスプラニングとプロジェクトの推進は新しいまたは既存のベンチャーの特別な必要性、目的、要求に対してあつらえられることができる。
【０００５】
さらに、前述の引用文献は、データベースからのデータに基づいてベンチャーのデフォルト値をユーザに提供するシステムを開示しておらず、そのシステムによりユーザはベンチャー特定情報とそのベンチャーの評価、およびその評価にしたがったベンチャーの詳細とその運営に特有のユーザの要求および目標を無効にし、または補足する。また、前記文献はユーザがビジネスプランとプロジェクト推進の概要の作成において、タグ付けされたベンチャー特定情報に基づいて生成された値をフラグするために使用されるベンチャー特定情報の信用タグを入力することを可能にするシステムを開示していない。さらに、前記文献は提案されたベンチャーの位置に特定のビジネス環境に基づいたプラニングを開示していない。
【０００６】
同様に、米国特許第5,463,555号、第6,141,647号明細書はビジネストランザクションシステムが、作業命令を製造実行システムに送信し、製造動作に対する設定値を生成するためにデータベースからのルールを使用する一体化されたビジネス環境、プロセス制御環境および研究所環境を開示している。製造動作が必要なとき、システムはユーザにエンリッチメントデータとして知られている付加的な情報の入力を促すことができる。しかしながら、前述の米国特許出願第2003/0074211号明細書に関する制限および欠点は、米国特許第5,463,555号、第6,141,647号明細書にも言えることである。
【発明の開示】
【発明が解決しようとする課題】
【０００７】
それ故、ユーザが関心をもっているベンチャーのタイプに対する位置および特別な産業についての詳細な情報へアクセスを有しているビジネスプラニングシステムであって、そのベンチャーのタイプと、特定されたベンチャーの位置にカスタム化されたデフォルトデータを提供し、それによってユーザがベンチャーデータまたは無効/補足情報と、計略的なビジネスプラニング、推進およびモデル化シナリオのための値のフラグに使用されることのできる信用タグとを入力することにより提供されるデフォルトデータを補足または無効にすることが可能なビジネスプラニングシステムが必要とされている。このようにして、ビジネスプランまたはプロジェクト推進の概要は、ベンチャーのタイプとベンチャーの位置にカスタム化されたシステムにより提供されることができ、そのベンチャーのベンチャー特定データとユーザ評価データに基づくことができる。
【０００８】
さらに、歩行可能者治療、外科処置、または内視鏡サービスを含めた医療施設、医院、営業所に特定の詳細な情報に基づいている、ベンチャーのビジネスプランおよび／またはプロジェクト推進概要、またはベンチャーの一部、事業、ユニット、または特徴を提供するシステムが必要とされている。
【０００９】
本発明の目的は、ユーザが提供するベンチャー情報がユーザにより入力され、知識データベースを提供するデータに基づいたデフォルト値がそのユーザの提供したベンチャー情報とユーザ評価データとにしたがって検索され、ビジネスプラン、モデルまたはプロジェクト推進の概要がユーザに提供される新しいベンチャーのビジネスプラニング方法を提供することである。
【課題を解決するための手段】
【００１０】
本発明によれば、ベンチャー情報は、クライアントまたはカスタマまたはエンドユーザからベンチャー情報を得ているユーザによってシステムに提供されることができる。この時点で、ユーザは複数の与えられたデフォルト値のうち少なくとも１つのデフォルト値と、そのベンチャーの産業の平均スコアを含むそのベンチャーに対してカスタム化されたビジネスプランとを、ベンチャーの位置に従ってローカルなビジネス環境に特有の値を考慮して補足および／または無効にするため、ベンチャーの価値または規準についてのユーザ評価に基づいて、さらにデフォルト値情報とユーザ評価情報に基づいて、付加的な評価情報を入力することができる。ユーザはさらに先に与えられたベンチャー情報を無効または補足することができる。
【００１１】
さらに、デフォルト値は人員および備品を含む要求、歳入、量、投資における収益/報酬または純資産額における報酬、コスト、サイズ、成長、内視鏡サービスベンチャーのアウトプットを含む目標、予測としてこのような事項を含むことができる。
【００１２】
また、ユーザ評価情報に対するユーザ信用タグが入力されることができ、したがって、ビジネスプランの価値および見積もりは、評価情報に対するユーザ信用タグにしたがってフラグされることができる。例えばユーザ信用タグはタグ付けされた値の確実性のユーザ評価を表すことができる。
【００１３】
ベンチャーの位置はベンチャーの国、州、地区、地方、および／または都市についての情報を含むことができる。さらに、前述の情報に基づいて、プロジェクト推進は、ユーザの追跡とベンチャーに必要なタスクの作業を容易にするために行われることができる。
【００１４】
１実施形態によれば、ベンチャーの産業についての詳細な情報はビジネスプランを作成し、プロジェクトを推進するためにデータベース中で利用可能でなければならない。例えばローカルなビジネス環境に特定の情報と、例えば内視鏡サービスを提供する施設などの歩行可能者外科センタおよび施設を含むターゲットのベンチャー産業についての詳細な情報は、ユーザから受信された情報にしたがって検索するために利用可能である。
【００１５】
また、本発明を実施するシステムおよびプログラムが考慮される。
【発明を実施するための最良の形態】
【００１６】
以下の図面および説明は、発明者によって現在最良に理解されている本出願人の発明の実施形態の説明であるが、本発明の多数の変形が可能であり、本発明の技術的範囲を逸脱せずに、他の形態で実施され、他の方法で実行されることができることが認識されるであろう。さらに、説明した実施形態の特徴は、発明の技術的範囲を逸脱せずに省略され、選択的にまたは全体として他の実施形態と組合わせられ、または他の実施形態或いはその一部の特徴と置換するように使用されることができる。図面および詳細な説明はそれ故、本発明の特徴の例示的な説明として考慮され、本発明の技術的範囲を限定すると解釈されるべきではない。本発明の技術的範囲は特許請求の範囲により規定される。
【００１７】
本発明の特徴を、医療ケア施設を含む実施形態を参照して説明する。特に、歩行可能者治療センタ、医院、または施設について参照し、内視鏡サービス施設を含む１例を説明する。しかしながら、出願人が請求している本発明は、歩行可能者治療医院、施設、外科センタおよび施設から診療所、病院、内科医の診察所、およびその他の医療応用の範囲の応用と、非医療施設、ビジネス、ベンチャーの応用を含む種々の設定において応用性を有することが理解されるであろう。
【００１８】
さらに、新しいベンチャーの開始または着手を参照するが、本発明は進行中のベンチャー、または新しい或いは既存のベンチャーの継続的な動作についてのビジネスプラニングおよびプロジェクト推進にも有用である可能性もあることが理解されるであろう。また、本発明は投資におけるコスト、歳入、収入と、純資産額の収入および利益を良好に理解するために既存のビジネスまたはベンチャーのモデル化に対して適用性を有することができる。例えば、病院または病院のウィング、または病院のユニットは既存のコストを識別しようと望んでいる可能性がある。このようなモデル化の応用では、過去、現在、未来の財務コストを含めた既存の備品とインフラストラクチャのコストは進行中のベンチャーまたはそのユニットのコストと歳入のモデル化を考慮しなければならない可能性がある。
【００１９】
本発明の１実施形態によれば、例えば歩行可能者外科センタのようなベンチャーのプラニングに関心のあるユーザは、本発明にしたがって設計されたシステム、例えば本発明によるプロセッサ作動ソフトウェアをアクセスでき、それによってユーザはビジネス活動、タスク、財務要求、財務収入、収入の流れ、認可要求および考察、建物のサイズ、費用、備品の必要性、人員の決定、税のなりゆき、その他の歩行可能者外科センタまたは医院或いは内視鏡サービス施設のエレメントの計画ビジネスが助けられる。したがって、歩行可能者外科産業などについての異なるタイプのベンチャーのための産業に特定の情報を含んだデータベースが、ビジネスプランおよびプロジェクト推進の概要の形成を助けるために、システムにより維持され、アクセスされる。
【００２０】
本発明の１実施形態によれば、システムはユーザのアクセスと、特別なモジュールまたは個々の解析機能とシステム内のデータベースの使用を促進する。ユーザはリクエストされたサービスを配送するためにクライアントまたはユーザにより要求されるようなこれらの解析機能、データベース、システム容量だけをアクセスできる。
【００２１】
例えば、与えられることのできる特別な解析のタイプの既存のベンチャーに対しては、クライアントの総コストデータの補足および入力と、実際の“手順当たりのコスト”の結果の識別である。例えば、既存の病院では、運営コスト、財務装置およびその他のインフラストラクチャのコスト、その他の費用が各ＧＩ関連の（胃腸内視鏡）現代手順専門用語（ＣＰＴ）コードファミリ、即ちＧＩ手順の各タイプに対して、例えば５年計画の時間フレームにわたって計算され解析されることができる。図８は各ＣＰＴファミリと関連される運営および財務コストの総額を示す“ファミリによる総経費”表８−１を示している（Bronchsは気管支鏡、colonsは結腸鏡など）。したがって、各ＣＰＴファミリに関連されるＣＰＴコードファミリの現在のコストが識別され解析されることができる。財務コストに関しては、図１５の表１５−１に示されているように、行１５−１．２の土地および建物コストと、行１５−１．４の医療装置および再処理装置のコストが、列１５−１．ｃで示されている財務調節と共に現れ、財務調節はアイテムの財務コストが含まれた後のそのアイテムのコストを表示している。全ての費用はそれ故、個別化され、適切に各ＣＰＴファミリへ割当てられることができる。
【００２２】
同様に、図１１の表１１−１と１１−２に示されている種々のタイプの手順からの歳入に対しては、図９に示されているような病院の特別な部門、図１０の表１０−１と１０−２に示されている個々の医師、図１０の表１０−３と１０−４に示されている保険または支払人の各タイプが識別され、解析されることができる。与えられたまたは良好に販売された各タイプのサービス或いは、ベンチャーの各ユニットまたは利益センタのコストおよび歳入のような他のタイプの既存の（または新しい）ベンチャーが識別され解析され、したがってビジネスプラニングを使用して収益性の良好な理解が得られることが理解されるであろう。
【００２３】
本発明の１実施形態によれば、システムは考慮または追随するための種々の戦略的ビジネスオプションをクライアントに提供するための１以上のビジネスシナリオの“モデル化”を容易にする。本発明のモデル化特徴による異なるオプションおよび戦略のモデル化によるこのユーザによる探求は、ユーザがベンチャー情報と、ユーザ評価情報とを入力して、ベンチャーについての異なる仮定と、普及した同様の状況についての異なる予測を行うため実現される。
【００２４】
ビジネスプランは、コスト、要求、歳入、リスク、収益性事業およびその他のベンチャー予測のようなデータをユーザに与え、一方でプロジェクト推進の概要がユーザに対するガイドとして提供され、ユーザの開発およびベンチャーの運営を容易にする。即ち、プロジェクト推進の概要は完成されるべきタスクと、ベンチャーの開始、完成、運営の種々の相における留意すべき基準とをユーザに提供し、タスクが完了されたときユーザが付加的な情報を入力することを可能にする。したがって、ユーザはベンチャーの開発、構成、完成、開始、運営のプログレスの追跡を維持することができ、さらに別のタスクと、既に完成されたタスクに基づいた要求とを通知され続けられることができる。
【００２５】
本発明の１実施形態によれば、プロジェクト推進セクションは、ユーザがそのベンチャーに必要な活動の追跡を助けられることを可能する。例えば、法的および政府の証明の要求、財務に関連するタスク、施設の獲得、設計および構造に関連される活動、施設の運営、備品の購入、運用またはメンテナンスに関するタスクおよび情報、人員および雇用の要求などが追跡されることができる。１実施形態によれば、ユーザは推薦されたまたは評価された時間継続情報も与えられ、それによってユーザは各タスク、またはタスクの各相に必要とされるおおよその時間を予測することができる。
【００２６】
例えば図４ｂは、“結果”ページまたは部分にリンクする“Ｒ”とラベル付けされたプロジェクト推進のページまたは部分を示している。ベンチャーの開始の早期の段階では、プロジェクト推進概要の“備品追跡―フォローアップ”部で、“医療主要備品の追跡”とプロジェクトのその他の特徴はまだ完成されていない。ユーザは種々の段階で、必要とされる種々のタスクを追跡するように求められる可能性がある。
【００２７】
本発明の１実施形態によれば、プラニングモードで、ユーザはその後ベンチャーの種々の選択肢および戦略のモデル化部分として実時間で種々の選択肢を検査して、戦略的ビジネス決定を可能にすることができる。このようにして、ユーザの個人的および財務的目的に一致する、歩行可能者外科センタ等の実効的で価格が効率的なベンチャーを開発する機会を強化する。
【００２８】
１実施形態によれば、ユーザがカスタマの量の正確な値、コストまたはその他の値を知っているとき、情報は入力されるデータの信頼格付けを使用して高レベルの信頼度で入力されることができる。他方で、与えられた情報に対するユーザの確実さが低いとき、またはそのとき確実さ値がユーザに知られていないとき、ユーザは低い信頼格付けで情報を入力する。また、ユーザが信頼値を知らないか、それを提供しないとき、デフォルト値の信用タグは、図７の例で示されているように、提案されている位置に対して問題とする産業におけるベンチャータイプに関する、データベースからの利用可能な情報に基づいて、発生セクション30により与えられることができる。１実施形態によれば、デフォルト信用タグはユーザにより変更されるまで１００％に設定される。
【００２９】
［システムの特徴］  
図７は１実施形態によるシステムの特徴を示している。ユーザ20はリンク21によって発生セクション30にアクセスする。
【００３０】
１実施形態によれば、ユーザは本発明の発生セクション30として実行するための命令を行うため、ソフトウェア実施命令へのアクセスを許可されている。また、このようなソフトウェアはユーザ20へ販売され、或いはユーザのプロセッサ、システムまたはＬＡＮ（構内網）でユーザが動作するようにカスタム構成されることができる。１実施形態によれば、発生セクション30は、ユーザが遠隔位置で発生セクション30を作動するサーバと相互動作し、または発生セクション30へアクセスすることを可能にするワールドワイドウェブを使用して、インターネットのようなネットワークを介してユーザによりアクセスされることができる。ユーザがワールドワイドウェブによってリンク21を介して遠隔的に発生セクション30をアクセスするとき、例えばサーバまたはサーバのグループで動作するソフトウェアとして構成された発生セクション30は、ユーザにより提案されているベンチャーに関するターゲット産業についての詳細な情報を有して知識データベース35へアクセスすることができる。
【００３１】
発生セクション30はユーザ20から受信されるか、ユーザ20へ与えられるデータを処理するユーザインターフェース31を含むことができ、制御装置32により制御される。制御装置32はユーザインターフェース31から受信された情報を処理し、データの問い合わせを知識データベース35へ発生し、発生セクション30の機能を調節する。
【００３２】
発生セクション30は本発明による方法に対する命令からなり、データプロセッサ上で実行されるように構成されているソフトウェアとして構成されることができる。発生セクション30はここで説明したように、ビジネスプラニングおよびプロジェクト推進機能を行うことのできるハードウェア、ファームウェア、またはそれらの組み合わせ、或いは任意の他の媒体、装置またはシステムとして構成されてもよい。
【００３３】
知識データベース35は、ワールドワイドウェブ上のリンクのようなネットワークリンクを介して、発生セクション30に論理的に接続されることができ、或いは発生セクション30またはそのコンポーネントと一体的であってもよい。例えばユーザが発生セクション30を実施するためのソフトウェアパッケージを与えられているならば、知識データベース35は同一のパッケージの一部として、または同一のデータプロセッサによって或いはネットワークを介して接続されているデータプロセッサによって処理される付加的なパッケージとして与えられることができる。さらに発生セクション30がネットワークを介してアクセスされるならば、知識データベース35は、発生セクション30と同一のサーバまたは同一のサーバネットワークの一部として設けることができ、或いは発生セクション30により遠隔的にアクセスされることができる。発生セクション30は恐らく種々のモジュールとして構成されてもよく、同一のプロセッサで実行される必要がないことも理解されよう。
【００３４】
１実施形態によれば、２人以上のユーザは発生セクション30に情報を入力し、および／または発生セクション30により返送されたビジネスプランおよびプロジェクト推進の概要を再検討するために共同動作することができる。また、発生セクション30は２以上のプロセッサ、位置またはネットワークから（与えられ、受信される情報を）アクセスされることができる。このようにして、ベンチャーにおける異なるタイプの関心または専門技術を有するユーザを含めたユーザは情報を共同動作および／または共有することができる。
【００３５】
１実施形態によれば、発生セクション30にアクセスするユーザは、システムの使用またはターゲット産業において幾らかの訓練または経験を有する人であってもよい。例えば、結腸内視鏡または内視鏡施設のような医療ベンチャーが計画され、モデル化され、あるいは促進されるとき、ユーザは看護婦、登録された看護婦またはその他の医療専門家、またはビジネス、法的、或いは財務の経歴或いは訓練を有する人であってもよい。また、ユーザはコンサルタント会社、またはシステムを実施するソフトウェアを認可するかシステムへのアクセスを販売する会社により雇用された人、またはこのような会社の命令下でまたは契約の下で労働する人であってもよい。さらに、ユーザは発生セクション30に対するアクセスを有する会社に対してまたは会社の命令の下で労働し、エンドユーザのようなクライアントまたはカスタマに対して、クライアントとカスタマまたはエンドユーザが提案したベンチャーまたはモデル化要求について通信してもよい。このようなユーザによるクライアント、カスタマ、またはエンドユーザとの通信は、ユーザ自身で、書き込みで、電話機またはデータネットワークにより、または任意の手段によるものでよい。
【００３６】
［システムの動作の説明］  
１実施形態によるシステムの動作の例示的な例を、図１に示されているプロセスフロー図を使用して、図２乃至６を参照して説明する。
【００３７】
図１のＳ１で、内視鏡サービス施設のような新しいベンチャーのモデル化に関心を有するユーザは、ウェブによりネットワークへログオンするか、他の方法で発生セクション30へアクセスする。ユーザはユーザの認証のための情報を提供するように求められる。発生セクション30は多数の既知の認証方法の任意の１つを使用して、Ｓ２でユーザを認証する。例えばシステムがシステムのワールドワイドウェブインターフェースを介して実行されるならば、ユーザはユーザの名前を有するパスワードまたはクレジットカード情報を提供することを要求される可能性がある。システムがユーザのプロセッサ、システムまたはＬＡＮ（構内網）に設置されるならば、そのユーザはシステムを使用するユーザの認可を認証するのに十分な情報を提供することを要求される可能性がある。
【００３８】
ユーザの認証後、Ｓ３で、ユーザは提案されたベンチャーに関するベンチャー情報を入力する。このようなベンチャー情報にはベンチャーとその所有者、代表者またはパートナー、契約情報等、歩行可能者外科センタ、歩行可能者薬剤施設または内視鏡サービス施設のようなターゲットベンチャーの産業または分野或いは努力、ＡＳＣ（歩行可能者外科センタ）または医師の医院についての基本的情報が含まれ、その施設が多分野または単一専門施設であるか否か、病院または診療所においてはその病院が公立または私立の病院、教育研究病院、コミュニティ病院、またはＶＡであるか否か、内視鏡サービスのような提供されるサービスのタイプについての基本的な情報も含まれることができる。この情報のうちいくつかまたは全ては、代わりに後の段階で入力されることができる。
【００３９】
位置情報もまたこの時点で入力されることができる。位置情報は提案されたベンチャーの国または州と、その位置が大都市、郊外、または田舎であるか、から構成されることができる。また、最初に利用可能な投資、その後に利用可能な融資、患者の量、初年度およびその後の年における手順の予測のような、ベンチャーについての基本的な財務情報が入力されることができる。ベンチャー情報における前述の例は包括的であることを意図していない。情報はこの時点で、または後に入力されてもよいことが理解されるであろう。また、全ての情報が任意の特定のタイプのベンチャーに対して必要とされるわけではなく、幾つかの情報はシステムの動作の後の段で入力されてもよく、まったく入力されなくてもよい。
【００４０】
さらに、発生セクション30はユーザにより入力されたベンチャー情報に基づく、幾つかまたはこの全ての情報をユーザに提供できなくてもよい。例えば発生セクション30はユーザにより予測または入力された手順の量に基づいて、同様に必要または所望である施設のサイズ、部屋および備品の数、職員および人員、投資などを予測できる。
【００４１】
Ｓ３において、ユーザ評価情報と共にベンチャー情報（以下参照）は発生セクション30に提供される。ユーザは例えば図３の“財務目標”表３−１の第１行の右側の列にある“８０％”に対して上付として示されている信用タグを入力された値フィールドに対するタグとして入力することもできる。システムによる信用タグの使用を以下説明する。Ｓ４で、発生セクション30はこの情報を予備的に処理し、ベンチャー情報に基づいて、１以上のデータリクエストを知識データベース35に送信する。
【００４２】
例えば、ベンチャーのタイプまたは、提案されたベンチャーを試みる分野、或いはその他のベンチャー情報にしたがって、ユーザは適切な発生セクション30、またはそのタイプのベンチャー用に構成されている発生セクション30のモジュールに誘導されることができる。したがって内視鏡サービス施設用に設計された発生セクション30は、ユーザが誘導されることのできる発生セクション30の１つのモジュールであってもよく、一方、非医療応用用に設計された発生セクション30の異なるモジュールは提供されたベンチャー情報に基づいてユーザが誘導されるモジュールであってもよい。この文脈では、このような発生セクションまたは発生セクションモジュールは同じデータプロセッサまたはコンピュータで構成される必要はない。同様に、知識データベース35は別の位置または１以上のプロセッサと共に動作するデータベースモジュールとして構成されることができる。
【００４３】
ベンチャー情報が予備的に処理された後、検索項が抽出され、Ｓ５で検索項は知識データベース35へ送られ、そこからベンチャーの詳細な情報が検索される（Ｓ５Ａ）。
【００４４】
Ｓ６で、知識データベース35から受信されたデータに基づいて、発生セクション30は必要とされる情報を完成するためにデフォルト値を使用して予備報告を発生する。発生された報告はビジネスプランおよび／またはプロジェクト推進の概要、またはその一部を含むことができ、例えばウェブページをユーザに表示することによってユーザに報告される。
【００４５】
図２は支払人のミックスと年間を反映している変化を示すためにデフォルト値と共にユーザに戻されたページの歩行可能者医療応用の１例を示している。
【００４６】
さらに、ユーザは図３の例で示されているように、ベンチャーの補足情報を尋ねられることができる。図３はユーザがベンチャーの種々に対する財務目標において重要な点を入力するように求められる“財務目標”表を示している。
【００４７】
この“財務目標”表により示されているように、ベンチャーに係わる各所有者、代表者または専門家の財務の、専門の、およびその他の目標、要求、条件はプラニングに反映されることができる。例えば各医師または所有者の必要性および目標は“財務目標”表に対して入力された情報中で反映されることができる。このようにして、プラニングは潜在的なリスクまたは問題の識別と、医師または所有者が矛盾のない要求、制約、目標を有するか否かの確認を助けることができる。したがって、不足および財務のまたはその他の制約はプロセスの早期段階で除去されることができる。
【００４８】
図３で示されているように、システムは、ユーザに有効なターゲットベンチャーの情報を提供し、補足情報のリクエストに応答するためにユーザに役立つテキスト情報を提供することもできる。
【００４９】
図３はユーザがＡＳＣ（歩行可能者外科センタ）についての前置き情報と、“財務目標”表を付随するテキスト形態の財務情報とを提供されることを説明している。勿論、発生セクション30により提供されるビジネスプランおよびプロジェクト推進の概要の情報のように、この情報はテキスト形態であってもよく、図、チャート、アイコン、添付物、ウェブリンク、ユーザに対する表示または再生或いは相互動作されるように設計された音響および視覚情報を含めたマルチメディア情報の形態を取ってもよいことが理解されるであろう。
【００５０】
ビジネスプランおよびプロジェクト推進の概要の一部として、発生セクション30により戻されたデフォルトデータは、種々のタイプのデータからなることができる。このデータは、  
ベンチャーに対して、個別的および集合的に、パートナー／所有者／代表者／管理者／医師の財務、専門、有効時間、およびその他の目的および制約と、
ベンチャーの産業およびタイプと、
支払人のミックス（保険のタイプ、メディケア、メディケート、ＨＭＯ患者、患者のキャッシュ等）のような経歴および反映されたデータおよび統計と、
カスタマ、患者、手順およびまとめ販売／歳入量の評価、目録、購入、予測、経歴データ、産業平均、基準、統計と、
賃金インデックスと、メディケア、メディケート、および全ての主支払人または保険に対する地理的調節ファクタについて自動的に計算されることのできる返済および支払人情報と、
二次ケースで自動的にディスカウントされる返済率および量と、
借金、賃倒れ、返済不能料金、フリーケア計算と、
施設のサイズ、歳入、カスタマの量と、
部屋単位の施設の道具一式と備品の要求、コスト、スケジュールと、
備品および必需品の置換コストおよびスケジュールを含めた、ベンチャーの医療および非医療必需品および備品の必要性および要求と、
見込みのあるカスタマ／患者の価格付けスケジュール、ディスカウント、プロモーションと、
生活費の増加、下落、割賦償還等と、
比および計算を確保するためのキャッシュと、
全体としてのベンチャーおよびその所有者と代表者の税評価、税タイミング、税の嗜好およびその他の税の考察と、
ベンチャーに最適なビジネスエンティティのタイプに対する法人型およびその他の考察と、
クレジット、抵当、財務パラメータおよびオプションと、
投資分配オプションと、
施設、備品の獲得および構成、財務、メンテナンスおよび修理、合併、ローカル、州および連邦料金、ペナルティ、料金、施設の潜在的な初期休止時間を含む詳細な開始費用と、
市場リサーチ、商品リサーチ、商品開発、プロトタイプのコストと、
文献、協定、マーケティングコストと、
旅行および娯楽コスト；標準コストと、
土地の大きさ、ゾーニングおよびサイト開発の必要性および要求と、これらに対する時間フレームと、
損益なしの解析、収益性、投資における報酬、純資産における報酬、ＥＢＩＴＤＡと、
偶発用クッションと、
手順またはサービス量に関連する歳入およびコスト識別と、
分配パターンおよびコストと、
コンサルタントを含む契約されたサービス必要性と、
人員の賃金、従業員名簿、利益を含む人員の必要性および目的と、
州、ローカル、連邦認定組織の免許と、専門家と施設の認定における情報と、
準備またはスケジュールされている必要とされまたは所望される政府またはその他の適用、提案、決議、会議、条例、計画、方式と、
政府およびその他の検査、承認、証明、料金、調査、訓練、必要性と、
継続する専門教育および保険と、
マーケティング、ＩＰ許可、備品およびオフィスの必需品の料金のような詳細なその他の費用と、
施設のユーティリティ、保険、運営コストと、
運転資本の要求と予測とを含むことができる。
【００５１】
本発明の１実施形態によれば、デフォルトデータは、さらに正確で包括的なビジネスプラニングおよびプロジェクト推進を行うためにターゲット産業についての詳細な情報を知識データベース35から引き出される。例えば内視鏡サービス応用では、音響プラニングは、プランが医師の医院、歩行可能者外科センタ、病院、診療所等の規程から生じる施設間における多くの州の法律の違いを考慮することを必要とする。例えば歩行可能者外科センタはこのようなセンタに特定の規則によって、幾つかの州で治められている可能性があり、このような規則はベンチャーのプラニング、免許の取得、信用、許可等を考慮されなければならない。
【００５２】
発生セクション30は平均、“最良の実施”、産業基準および／またはベンチャーのターゲット値を、戻されたデフォルト値の一部として指示することができる。ビジネス標準はその後、ユーザの特有の状況、目標、予測、目的と整合するビジネスプランを開発するために、ベンチャーのモデル化におけるユーザの解析の出発点であることができる。即ち、ビジネスプランは、ベンチャーのローカルなビジネス環境について特定の条件を考慮して、提案されたベンチャーのタイプ、産業平均、産業基準、要求に対して取得される産業および専門技術の経歴情報に基づいている可能性がある。
【００５３】
ローカルビジネス条件についての情報には、土地の利用性、ゾーニング、開発、構造要求、コスト、法的要求および考察、人員の利用性、種々のタイプの必要な雇用者のコスト、財務の利用性およびコスト、生活費その他の費用、地域または区域に適用可能な要素が含まれることができる。さらに、ビジネスプランはまたベンチャーについて入力された補足および無効情報に基づくであろう。
【００５４】
ユーザは発生セクション30によってデフォルト値として与えられた情報を無効および補足することができる。デフォルト値として先に列挙された幾つかのまたは全てのデータおよび値はしたがって、ユーザ評価情報、補足情報および／または無効情報としてユーザによって入力されることができる。したがって、ユーザはビジネスまたはベンチャーの仮定のモデル化にわたって制御の程度を有する。
【００５５】
例えば、特別なサイズ、コストまたはその他のデフォルト量または値がシステムによって計算されるとき、ユーザはこれらの値および仮定を、ベンチャー特定の入力値および予測と共に無効にするか補足する機会を与えられることができ、それによって生成されるビジネスプランを最適化することができる。したがって、Ｓ７で、ユーザに利用可能なユーザビジネスまたはベンチャー運営経験および経歴情報（“実績”）、関連する条件の評価、目標、認識される要求、予測、運営または財務制約または義務等を含めたユーザに利用可能な情報に基づいて、ユーザは補足情報を入力するか、或いは例えば“財務目標”表３−１の右側の欄に重要点を示すことにより、発生セクション30により返送されたデフォルトデータを無効にする。例示により、ユーザはカーソルに“重要点”欄の第１行３−１．２を指向させ、行３−１．２において１００のうち２０として図３に示されているように、ベンチャーに支払う創業金を最小にする重要性を示す。（ベンチャーのビジネス形態に応じて）個人の所有者またはベンチャーの専門家、或いはそのパートナーまたは株主の目標、制約、優先権と、ベンチャー全体としての目標、制約、優先権を反映する値が入力され、プラニングとモデル化を考慮に入れることができる。
【００５６】
補足情報は発生セクション30によるプロンプトに応答してユーザにより与えられた情報であり、発生セクション30によって、ユーザはそのベンチャーの状態または予測について当初与えられたベンチャー情報に対する付加的な情報を入力することが可能である。無効情報は、これらが発生セクション30が与えるデフォルト値と異なるときに、ベンチャーに対する要素、状態または予測についてのユーザの知識に基づいている。前述したように、無効情報および補足情報は、例えば図３の行３−１．２を参照して、そのベンチャーに対する結果の値のユーザ格付けも表すことができる。
【００５７】
さらに、Ｓ８で、Ｓ３のように、ユーザは例えば図３の“財務目標の”第１行右側の欄の“８０％”に対する上付きとして示されている信用タグを入力することができる。
【００５８】
信用タグはベンチャーの経歴データの予測、目的、または正確性の程度についてのユーザの信頼を表している。例えば図２の支払人ミックス／反映された変化表２−１は、１００％として各年の変化に対して、右側の欄の“評価された年変化”２−１．３において評価された毎年の変化の信用タグを示している。信用タグはそのベンチャーに関する現在または将来の状態の普及率の可能性についてのユーザの査定であることができる。
【００５９】
Ｓ８で、ユーザが信用タグを入力した後、補足情報および無効情報と信用タグは発生セクション30に提出され、発生セクション30はこの情報をＳ９で処理する。発生セクション30はＳ１０で、ユーザにより入力された新しい情報によって必要とされるとき、データベースからの付加的なデータを送信することができる。
【００６０】
信用タグは、このようにタグ付けされた情報、即ちタグ付けされた情報に基づいてプランまたはモデル化或いは促進のために生成された情報にフラグを付け、および／またはしたがって他の影響を受けた情報にフラグを付けるために、発生セクション30により使用されることができる。例えば図５は“モデル化嗜好の指示”５−１と題する表を含んでおり、これは行われる内視鏡サービスについて異なる保険業者／支払人に対する返済額を示している。第３の欄の“メディケア調節”５−１．３では、第１行目の“ブルークロス／ブルーシールド”５−１．ａは、ブルークロス／ブルーシールドの返済率２０％が表“モデル化嗜好”５−１の行５−１．ｃに示されているメディケア数よりも高いことを示している。将来の情報、例えば（図５には示されていない）それぞれの保険業者／支払人により返済される内視鏡手順の割合についての情報と共に、（“メディケア調節”５−１．３に示されている）“メディケア調節”情報は収入流のプラニングに有用であることができる。しかしながら、ブルークロス／ブルーシールドの返済率のエントリは信用タグ“８０％”（“メディケア調節”５−１．３の第１行目で“２０”が上付き）でタグ付けされ、これはそのエントリのユーザ評価が８０％の信頼値を有することを示している。したがって、この実施形態によれば、８０％の信頼格付けは、信頼格付けによる８０％の確実性を有する信頼格付けを有して、メディケア返済率を超える２０％と、この値から得られる潜在的に任意の値を含んでいる２０％率に基づいて発生された値とに基づく任意のプラニングをフラグするために使用されることを必要とする。
【００６１】
発生セクション30は受信された無効および／または補足情報を処理する。
【００６２】
この点で、発生セクション30は知識データベース35の付加的な検索の検索リクエストを生成するための検索項を随意選択的に抽出する（Ｓ９）。他方で、発生セクション30がさらに知識データベース35からの情報が必要ではないことを決定したならば、これらのステップは省略されることができる。Ｓ１０で、検索リクエストは知識データベース35へ送られ、知識データベース35はＳ１０Ａで、付加的な情報を検索し、これを発生セクション30に提供する。
【００６３】
Ｓ１１で、発生セクション30は検索されユーザに報告された情報に基づいて、ビジネスプランとプロジェクト推進ページを生成する。例えば、ベンチャーにより所定の期間に行われる多数の手順のユーザ評価に基づいて（または例えば本発明の他の応用ではまとめ販売に基づいて）、発生セクション30は施設のサイズ、サービスの提供に必要な医療装置のタイプおよび数についての情報を得る。１実施形態によれば、多数の手順予測が知識データベース35中のＬＵＴ（検索表）にキー付けされ、施設のサイズ、サービスの提供に必要な医療装置のタイプおよび数が返送される。例えばＬＵＴはエントリとして、あるタイプの多数の手順に対応する範囲を有することができ、その範囲内に入る複数の手順の予測は、施設のサイズ、サービスの提供に必要な医療装置のタイプおよび数を返送する。図１６は例示的な“推薦された施設のサイズ”表を示しており、これはユーザにより入力された複数の手順評価に基づいて、数年間におけるＡＳＣ（歩行可能者外科センタ）予測で推薦された部屋のサイズおよび数等を示している。例えばデフォルト信用タグは例示的に１００％に設定されている。
【００６４】
次に、必要とされる施設および装置のサイズに基づいて、ベンチャーの人員、必需品、その他の必要性の評価は知識データベース35から得られ、ユーザに提供されることができる。ビジネスプランおよびプロジェクト推進の概要の一部または特徴は、これらがユーザおよびデータベースからの情報にしたがって利用可能になるとき、セクションでユーザに与えられることができることが理解されるであろう。例えばユーザが１つのユニットまたは収益センタ或いはベンチャーの特徴だけをモデル化することを望み、１つのユニットまたは収益センタ或いはベンチャーの特徴のデータだけを入力することを望む可能性がある。そのシステムは利用可能な情報に基づいて、ベンチャーのその部分だけについてモデル化またはプラン或いは促進する。
【００６５】
例えば図４ａおよび４ｂは、ユーザに与えられるプロジェクト推進の概要の要約を示しており、ここで、あるセクションは、（“Ｒ”として例示的にタグ付けされている）結果のページ、例えば“法的／証明要約追跡”セクション４−１．２を列挙している要約ページであり、一方、プロジェクト推進報告の部分を表す他のページはサブセットタスク、例えば“開発チームの選択”４−１．３である。したがって、ビジネスプランおよびプロジェクト推進の概要のセクションまたはモジュールに対する情報はユーザにより個別的に完成され、完成された各セクションは発生セクション30により発生されてユーザに提供される。プロジェクト推進の概要はユーザとの対話を促進する形態であってもよく、それによってユーザはこれらが完成されたとき、値を入力し、タスクをチェックオフすることができることが理解されるであろう。例えば図４ａおよび４ｂは、コンピュータモニタまたはディスプレイのようなユーザのディスプレイ上でユーザに対して表示され、必要な情報をユーザに提供するページを示している。
【００６６】
さらに、結果のページの一部として戻されたフィールドはデータ入力ページにリンクされることができ、したがって例えばフィールド上で選択または“クリック”によりユーザは対応するデータエントリページに戻され、さらに対応するデータまたはその対応するデータに関連されるデータを観察、調節、更新、修正または補足する機会を与えられることができる。例えば図１３の“運営費用の概観”表１３−１はそのベンチャーの将来の年の評価と共に“給料および賃金”表１３−１．４を含んでいる。“給料および賃金”表１３−１．４の行の先頭の用語“給料および賃金”の下線は、ユーザがそのフィールドをクリックすることができ、スタッフの給料、賃金、関連される費用に関するコストについてのさらに詳細な情報が列挙されたデータ入力ページにリンクされていることを示している。ユーザは、全体の“給料および賃金”費用になった要因および仮定のより良好なアイディアを得るために、このさらに詳細な情報を観察することができ、および／またはこのような詳細な内訳アイテムを更新、調節、修正または補足することができる。例えば、図１３の表１３−１に列挙された対応するアイテムを選択することによって、ユーザは図１２の表１２−１に示されているようなデータのセットに対するアクセスを与えられ、この表は備品の費用のベースとして与えられる値を示している。
【００６７】
Ｓ１２で、ユーザは発生された情報を再検討する。ビジネスプランおよびプロジェクト推進概要は、ターゲットのベンチャーの予測および必要性についての詳細な情報を含むことができ、これは法的要求、保険、施設開発および運営、建物のメンテナンスおよび修理、政府（州、局所、連邦）の免許および認定、財務、会計、税金、スタッフ、雇用規則、備品および必需品の調達および必要性、位置についての産業的環境および基準情報のような情報を含んでいる。返送される情報のタイプは、前述したように返送されるデフォルトデータと同一のタイプの情報であってもよい。
【００６８】
また、州、連邦、局地的な政庁および専門家の認定または免許の組織、販売人、契約者、専門化、スタッフのエージェント等のような、ベンチャーに関連する第３のパーティへの、ワールドワイドウェブリンクのような接触情報およびリンクが存在してもよい。種々の免許および認定に適用するのに必要な形態が提供されることもできる。
【００６９】
例えば、図６はメディケア証明された歩行可能者外科センタの建物の規則のような、免許について相談を受けなければならない第３のパーティを示す表を含んでいる。本発明の１実施形態によれば、このような第３のパーティに対する契約情報またはリンクが提供される。ユーザがインターネットのような電子ネットワークを介して発生セクション30にアクセスし、ビジネスプランおよびプロジェクト推進がモニタまたはディスプレイ上でユーザに与えられる構成では、図６に列挙されている第３のパーティは、ユーザを政府、州またはローカルの機関のウェブページと、種々のタイプの免許または認定に必要な形態、或いは他の情報に送信できるハイパーリンクを有することができる。
【００７０】
図１のＳ１３で、ユーザは、ターゲットのベンチャーの付加的なモデル化がこの時点で望ましいか否かを決定し、望ましいならば、ユーザはＳ７およびＳ８に戻り、情報を発生セクション30に提出することにより、付加的な補足または無効情報を入力するか、先に入力された補足および無効情報を変更或いは更新し、信用タグを入力（または先に入力された信用タグを変更または更新）する。発生セクション30は新しい無効、補足、ユーザ信用タグ情報を受信したとき、Ｓ９に戻される。
【００７１】
このようにして、システムは反復的なプロセスを提供し、ユーザがベンチャーに対する種々の仮定および条件をモデル化するか、或いは知られるようになった普及条件および仮定についての情報として、ベンチャーについてのさらに包括的な情報を提供することを可能にする。
【００７２】
Ｓ１３で、ユーザがベンチャーの付加的なモデル化が所望ではないと決定したとき、ユーザは発生されＳ１４に進んでビジネスプランおよびプロジェクト推進の概要を受け取ることができる。このようにして到着した情報は将来、秘密保護された電子フォルダでユーザに提示されるためにシステムにより保存されることができ、それによって、フォルダは後にシステムによるユーザ認証に続いて、ユーザによりアクセスされることができる。ユーザが付加的なモデル化、プラニングまたは促進を望むならば、情報は将来においても使用されることができる。このような将来のモデル化は、それが知られるようになったとき、付加的な情報、またはさらに正確な、或いは更新された情報に基づくことができる。
【００７３】
本発明は２つの機能、即ち、ビジネスプラニング機能とプロジェクト推進機能を構想している。しかしながらこのシステムはベンチャーのビジネスプランまたはプロジェクト推進だけを行ってもよい。また、２つの機能を説明したが、ビジネスプラニング機能とプロジェクト推進機能は統合された方法で、別々の機能として、或いは戻された別々の報告としてユーザに与えられることができる。
【図面の簡単な説明】
【００７４】
【図１】本発明の１実施形態によるプロセスのフロー図。
【図２】本発明の実施形態によるシステムにより発生された“支払人ミックス”表とユーザにより入力される値を示す図。
【図３】システムにより与えられたデフォルトデータの１例としての“財務目標”と本発明の１実施形態によりユーザにより入力された値を示す図。
【図４ａ】本発明の１実施形態によるシステムによって発生されたプロジェクト推進の概要の１例を示す図。
【図４ｂ】本発明の１実施形態によるシステムによって発生されたプロジェクト推進の概要の１例を示す図。
【図５】本発明の１実施形態によるシステムによって発生された返済表モデル化を示す図。
【図６ａ】本発明の１実施形態によるシステムによって発生された第３のパーティの情報を有する表を示す図。
【図６ｂ】本発明の１実施形態によるシステムによって発生された第３のパーティの情報を有する表を示す図。
【図７】本発明の１実施形態による発生セクション30と知識データベース35の特徴を示す図。
【図８】本発明の１実施形態により実行された手順の各ファミリに対する総費用の詳細を有する表を示す図。
【図９】本発明の１実施形態による各ユニットにより与えられた歳入の詳細を有するグラフおよび表を示す図。
【図１０】本発明の１実施形態による各医師により与えられた歳入の詳細を有するグラフおよび表と、各支払人または保険業者により与えられた歳入の詳細を有するグラフおよび表。
【図１１】本発明の１実施形態による各ＣＰＴファミリにより与えられた歳入の詳細を有するグラフおよび表。
【図１２】本発明の１実施形態によるベンチャーに対する必需品および備品のコストの詳細を有する表を示す図。
【図１３】本発明の１実施形態によるベンチャーに対する運営費用のリストを有する表を示す図。
【図１４】本発明の１実施形態によるベンチャーに対する財務価格計算機を示す表。
【図１５】本発明の１実施形態によるベンチャーに対する選択されたアイテムのコストおよび関連される財務コストを示す表の図。
【図１６】本発明の１実施形態により、ユーザ入力に基づいてシステムにより生成されるベンチャーに対する選択されたアイテムにおける価格をリストしている“推薦された施設サイズ”表を示す図。
【図１】
2007535775.tif 000003
【図２】
2007535775.tif 000004
【図３】
2007535775.tif 000005
【図４ａ】
2007535775.tif 000006
【図４ｂ】
2007535775.tif 000007
【図５】
2007535775.tif 000008
【図６ａ】
2007535775.tif 000009
【図６ｂ】
2007535775.tif 000010
【図７】
2007535775.tif 000011
【図８】
2007535775.tif 000012
【図９】
2007535775.tif 000013
【図１０】
2007535775.tif 000014
【図１１】
2007535775.tif 000015
【図１２】
2007535775.tif 000016
【図１３】
2007535775.tif 000017
【図１４】
2007535775.tif 000018
【図１５】
2007535775.tif 000019
【図１６】
2007535775.tif 000020